(57)【要約】【課題】本考案は大工用墨付け定規に関し、取扱い操作が容易で、柱幅の墨付け作業がワンタッチにて簡単に作業効率良く確実に行え、複数の径の角材の柱に対応した墨付けが行え、便利になり、部品点数が少なく構造が簡単で製作、組立が容易に行える。【解決手段】１対の基準杆２，２′の前後に１対の連結片３，３′の両端を枢着した四節の保持枠体１と、連結片の枢着点４，４′の中央２等分線Ｍ位置に長手方向Ｘの両側部５ａ，５ｂが夫々枢着され、蟻形の規片部６、かま蟻形の規片部７、ほぞ穴規線部８、ぬき穴規線部９が形成され、中央２等分線に交叉して蟻溝用湾入部１０を設けた墨付き定規部１２の蟻溝用湾入部の幅方向Ｙの両側に大小異径の複数種の柱幅Ｗ１，Ｗ２に対応して墨付けをする数種の柱幅墨付け用縦片部１３Ａ，１３Ｂと柱幅墨付け用横片部１４Ａ，１４Ｂとを段状に対称的に連設した。【選択図】　　　図１
0003099405.tif 000002
【実用新案登録請求の範囲】
【請求項１】
平行な挟持内面を有する１対の基準杆の前後に１対の連結片の両端を枢着することにより平行移動可能に設けられた四節の保持枠体と、前記連結片の前記枢着点の中央２等分線位置に長手方向の両側部が夫々枢着され、蟻形の規片部、かま蟻形の規片部、ほぞ穴規線部、ぬき穴規線部が形成される共に前記中央２等分線に交叉して蟻溝用湾入部が設けられた幅広部を有する墨付き定規部とを備えた大工用墨付け定規において、
前記墨付き定規部の蟻溝用湾入部の幅方向の両側に大小異径の複数種の柱幅に対応して墨付けをする数種の柱幅墨付け用縦片部と柱幅墨付け用横片部とを段状に前記蟻溝用湾入部に対して対称的に連設したことを特徴とする大工用墨付け定規。
【請求項２】
前記墨付き定規部の前方部および後方部は、前記連結片に対する枢着点から所望長さの第２のほぞ穴規線部が突出して設けられたことを特徴とする請求項１に記載の大工用墨付け定規。
【請求項３】
前記基準杆の内側面には、柱を挟持した時に、柱の外側面に対し軸長方向には摩擦係数が軽減可能であり、且つ柱の幅方向には係止力が働く面状の摩擦軽減部品が添設されたことを特徴とする請求項１または請求項２に記載の大工用墨付け定規。
【請求項４】
前記連結片には、該連結片が中央２等分線上の枢着点を中心に傾倒された時に第２のほぞ穴規線部の所望長さ位地に表示した目盛部を回避可能な凹部が形成されたことを特徴とする請求項３に記載の大工用墨付け定規。
【考案の詳細な説明】
【０００１】
【考案の属する技術分野】
本考案は大工用墨付け定規に関し、大工が角材に蟻、ほぞ等を形成するのに墨付けを行うために好適に使用するものである。
【０００２】
【従来の技術】
従来、大工が角材に蟻、ほぞ等を形成するのに墨付けを行うための大工用墨付け定規としては、例えば実公昭５４−３７５２０号公報に記載の考案がある。
この考案は、平行な挟持内面を有する１対の基準杆の前後に１対の連結片の両端を枢着することにより平行移動可能に設けられた四節の保持枠体と、前記連結片の前記枢着点の中央２等分線位置に長手方向の両側部が夫々枢着されると共に、蟻形の規片部、かま蟻形の規片部、ほぞ穴規線部、ぬき穴規線部が形成された墨付き定規部と、墨付き定規部に摺動可能に設けられた幅広のスライド規片とを備え、該スライド規片には墨付け規片の中心軸線の左右両側に、該墨付け規片と直交する柱幅規線部および該柱幅規線部の間にあって蟻形をした蟻溝用規線部並びに前記墨付け規片に平行な線と直角な線とを有する間柱穴用規線部を形成したものである。
【０００３】
【考案が解決しようとする課題】
しかしながら上記従来の大工用墨付け定規は、柱等の角材に他の角材、例えば火口柱を接合するために、蟻溝の左右に切除されるほぞ穴を柱等の角材の側面に形成する場合に、先ず１対の基準杆と、該基準杆の前後に両端を枢着した１対の連結片とによりなる平行移動可能に設けた四節の保持枠体の前記基準杆により柱を挟持する。次いで保持枠体の連結片の中間部に前後を枢着した墨付き定規部に対してスライド規片を摺動する。そして、そのスライド規片の側面に楔形の切除部を設けることにより形成された柱幅規線部に沿って柱の側面にほぞ組を行うべき柱の柱幅に合致する直線の墨み付けを行う。しかも、その直線の先端相互を柱の長手方向に沿う直線で結ぶことにより、柱の側面にほぞ組を行うべきほぞ穴の柱幅の墨付けを行うとともに、柱幅の前記直線の中間に蟻溝用基片部により蟻形の溝の線を柱に墨付けするものであった。
【０００４】
従って、前記従来の大工用墨付け定規は、柱幅の墨み付けを行うのに、四節の保持枠体をなす１対の連結片の中央２等分線位置に前後を枢着した墨付き定規部に対し、さらにスライド規片を摺動しなければ柱幅の墨付けを行うことができないので、柱幅のほぞ穴を形成するには墨付け作業が面倒になり、多くの時間と手間がかかるものであった。しかも、部品点数が多く、構造も複雑化なので、製作および組立は容易には行えなかった。
【０００５】
また、上記従来の大工用墨付け定規は、スライド規片の側面に１対の楔形の切除部を設けることにより柱幅規線部を形成しているので、４寸角、４寸５分角、５寸角の何れかの径の１種類の角材の柱に対応した柱幅の墨付けしか行えず、不便であった。
【０００６】
そこで、本考案は上記従来の大工用墨付け定規の欠点を解決し、取扱い操作が容易であり、柱幅の墨付け作業がワンタッチ操作にて簡単に作業効率良く確実に行えるとともに複数の径の角材の柱に対応した墨付けが行え、便利であり、また部品点数が少なく構造が簡単になって製作および組立が容易に行え、製作コストも安価な大工用墨付け定規を提供することを目的とする。
【０００７】
【課題を解決するための手段】
本考案は上記課題に鑑みなされ、請求項１に記載の考案は、平行な挟持内面を有する１対の基準杆の前後に１対の連結片の両端を枢着することにより平行移動可能に設けられた四節の保持枠体と、前記連結片の前記枢着点の中央２等分線位置に長手方向の両側部が夫々枢着され、蟻形の規片部、かま蟻形の規片部、ほぞ穴規線部、ぬき穴規線部が形成されると共に前記中央２等分線に交叉して蟻溝用湾入部が設けられた幅広部を有する墨付き定規部とを備えた大工用墨付け定規において、
前記墨付き定規部の幅方向の両側に大小異径の複数種の柱幅に対応して墨付けをする数種の柱幅墨付け用縦片部と柱幅墨付け用横片部とを段状に前記蟻溝用湾入部に対して対称的に連設したことを特徴とするという手段を採用した。
【０００８】
また、本考案の請求項２に記載の考案は、請求項１において前記墨付き定規部の前方部および後方部は、前記連結片に対する枢着点から所望長さの第２のほぞ穴規線部が突出して設けられたことを特徴とするという手段を採用した。
【０００９】
また、本考案の請求項３に記載の考案は、請求項１または請求項２において前記基準杆の内側面には、柱を挟持した時に、柱の外側面に対し軸長方向には摩擦係数が軽減可能であり、且つ柱の幅方向には係止力が働く面状の摩擦軽減部品が添設されたことを特徴とするという手段を採用した。
【００１０】
また、本考案の請求項４に記載の考案は、請求項３において前記連結片には、該連結片が中央２等分線上の枢着点を中心に傾倒された時に第２のほぞ穴規線部の所望長さ位地に表示した目盛部を回避可能な凹部が形成されたことを特徴とするという手段を採用した。
【００１１】
【考案の実施の形態】
以下図面に従って本考案の実施の形態の具体例を説明する。
図１は本考案の大工用墨付け定規の一実施形態を示す拡大平面図、図２は本実施形態の大工用墨付け定規を用いて一方の柱の外側面に墨付けがされることにより形成される蟻溝形のほぞ穴と、ほぞ組が行われる他方の柱の木口に墨付けがされた蟻形のほぞとを示す斜視図であり、図３は同じくほぞ組が行われた状態の平面図、図４は一方の柱の木口に墨付けにより形成されるかま蟻溝形のほぞ穴と、ほぞ組が行われる他方の柱の木口に墨付けしたかま蟻形のほぞを示す斜視図であり、図５は同じくほぞ組が行われた状態の平面図、図６は本実施形態を構成する摩擦軽減部品を示す拡大斜視図である。
【００１２】
本実施形態において、平行な挟持内面２ａ，２′ａを有する１対の基準杆２，２′の前後に１対の連結片３，３′の両端を枢着することにより平行移動可能に設けられた四節の保持枠体１と、前記連結片３，３′の前記枢着点４，４；４，４の中央２等分線Ｍ位置に長手方向Ｘの両側部５ａ，５ｂが夫々枢着点４′，４′により枢着され、蟻形の規片部６、かま蟻形の規片部７、第１のほぞ穴規線部８、ぬき穴規線部９が形成されると共に前記中央２等分線Ｍに交叉して左右の両側に蟻溝用湾入部１０が設けられた幅広部１１を有する墨付き定規部１２とを備えた大工用墨付け定規である点は例えば上記従来の大工用墨付け定規と同様の構成、作用である。
【００１３】
しかしながら本実施形態の大工用墨付け定規は、前記墨付き定規部１２の幅方向Ｙの左右両側に大小異径の複数種の柱幅Ｗ１，Ｗ２・・・に対応して墨付けをする数種の柱幅墨付け用縦片部１３Ａ，１３Ａ；１３Ｂ，１３Ｂ・・・と、柱幅墨付け用横片部１４Ａ，１４Ａ；１４Ｂ，１４Ｂ・・・とを段状に前記蟻溝用湾入部１０，１０に対して左右対称的に連設した。
また、大小異径の複数種の柱幅Ｗ１，Ｗ２・・・とは、本実施形態では例えば４寸角、４寸５分角・・・等何れか１種類の径の柱Ｐ１，Ｐ２・・・等に対応する幅をいう。
９ａ，９ｂは前記ぬき穴規線部９の１／２幅に長手方向Ｘの内側端に上下対称的に形成された中央線規線段部であり、この中央線基線段部９ａ，９ｂにより書かれる横線相互を結べば、中央２等分線Ｍの墨付けを行うことができる。
【００１４】
前記墨付き定規部１２の前方部１２ａおよび後方部１２ｂは、前記連結片３，３′に対する枢着点４′，４′から第２のほぞ穴規線部１５，１５′が突出して設けられる。
【００１５】
１６は前記基準杆２，２′の内側面に添設された面状の摩擦軽減部品であり、この摩擦軽減部品１６，１６は、図１に示すように墨付けを行うのに際して柱Ｐ１，Ｐ２・・・を挟持した時に、柱Ｐ１，Ｐ２・・・の外側面に対し軸長方向Ｘには摩擦係数が軽減されて保持枠体１は摺動可能であり、且つ柱Ｐ１，Ｐ２・・・の幅方向Ｗには係止力が働き、四節の保持枠体１の滑動が防止されるようになっている。すなわち、この摩擦軽減部品１６は、例えば軟質または硬質の合成樹脂可塑物により形成され、図６に示すように幅方向Ｗには連続した断面略三角形をなし、かつ長手方向Ｘに伸びる多数の係止刃１７を設けたものが使用されることにより、墨付け時に摩擦軽減部品１６を介して柱Ｐ１，Ｐ２・・・を前記基準杆２，２′により挟持した時に、柱Ｐ１，Ｐ２・・・の外側面に対して断面略三角形の係止刃１７により摩擦係数が軸長方向Ｘには軽減されて１対の基準杆２，２′が柱Ｐ１，Ｐ２・・・の長手方向Ｘに係止刃１７を介して円滑に摺動して挟持可能になるが、柱Ｐ１，Ｐ２・・・の幅方向Ｗには断面略三角形をなす係止刃１７の係止力が確実に働いて滑動が防止されることにより柱Ｐ１，Ｐ２・・・に対する墨付けをずれ動きなく高精度に行うようにしている。
【００１６】
１８は前記連結片３，３′の略中央に形成された凹部であり、この凹部１８は連結片３，３′が墨付け定規部１２の第２のほぞ穴規線部１５，１５′の中央２等分線Ｍ上の枢着点４′，４′を中心に傾倒された時に、第２のほぞ穴規線部１５，１５′の所望長さｌ，ｌ′位地に表示した目盛部１９，１９′を回避可能にし、視認性が確保されることにより第２のほぞ穴規線部１５，１５′による墨付けを迅速かつ確実に行えるようにしたものである。
【００１７】
なお、図２、図３において、Ｊは大小異径の一方の柱Ｐ１，Ｐ２・・・に墨付け後に形成される蟻形の前記ほぞ溝Ｅに嵌合されてほぞ組が行われるべき他方の柱Ｐ１，Ｐ２・・・に墨付けされた蟻形のほぞである。また図４、図５においてＪ′は大小異径の一方の柱Ｐ１，Ｐ２・・・に墨付け後に形成されるかま蟻形のほぞ溝Ｆに嵌合されてほぞ組が行われるべき他方の柱Ｐ１，Ｐ２・・・に墨付けされたかま蟻形のほぞである。
【００１８】
本考案の大工用墨付け定規の一実施形態は以上の構成からなり、例えば４寸角、４寸５分角等の大小異径の柱幅Ｗ１，Ｗ２・・・の複数種の柱Ｐ１，Ｐ２・・・等の角材の側面（図１では上面を示している）に、同柱幅Ｗ１，Ｗ２・・・の他の角材、例えば火口柱を接合するために、一方の柱Ｐ１，Ｐ２・・・の角材の側面に中央には蟻溝Ｅを、また該蟻溝Ｅの左右には有底状のほぞ穴Ｅ′を切徐して形成するために墨付けを行うには、先ず１対の基準杆２，２′と、該基準杆２，２′に枢着点４，４；４，４にて枢着された連結片３，３′とよりなる四節の保持枠体１の１対の前記基準杆２，２′にて加工を行うべき一方の柱Ｐ１または柱Ｐ２を挟持する（図１参照）。
【００１９】
この時、四節の保持枠体１は、基準杆２，２′の前後に枢着点４，４；４，４にて枢着した１対の連結片３，３′が、枢着点４，４；４，４を中心に平行移動し、柱Ｐ１または柱Ｐ２の径の大小によりその平行移動における移動量を異にして１対の前記基準杆２，２′により柱Ｐ１または柱Ｐ２は円滑かつ確実に挟持される。
【００２０】
そして、基準杆２，２′の内側面には例えば図６に示すような軟質または硬質の合成樹脂可塑物により形成され、幅方向Ｗは連続した断面略三角形をなし、かつ長手方向Ｘには多数の係止刃１７が伸びた面状の摩擦軽減部品１６，１６が添設されているので、墨付けが行われるべき一方の柱Ｐ１または柱Ｐ２を図１に示すように挟持する時に、この柱Ｐ１または柱Ｐ２の外側面に対し基準杆２，２′は多数の前記係止刃１７により摩擦係数が軸長方向Ｘに軽減されて柱Ｐ１または柱Ｐ２の外側面に対し移動し易くなり、所望位置に自由に移動される。また、幅方向Ｗには断面略三角形の係止刃１７の係止力が柱Ｐ１または柱Ｐ２に対して働くことにより四節の保持枠体１の柱Ｐ１または柱Ｐ２に対する不用意なずれ動きやがたつきが防止され、墨付け作業を迅速かつ確実に高精度に行うことができる。
【００２１】
このようにして、径が異なる柱Ｐ１または柱Ｐ２の外側の所望位置を四節の保持枠体１の基準杆２，２′にて挟持した後に、墨付き定規部１２の幅広部１１の左右の側面に形成された蟻溝用湾入部１０，１０の何れかの内側面に沿って蟻溝Ｅを柱Ｐ１または柱Ｐ２の外側（図１では上面を示す）に墨付けを行う。
【００２２】
その後、墨付き定規部１２の蟻溝用湾入部１０における幅方向の両側に、大小異径の複数種の柱幅Ｗ１，Ｗ２・・・に対応して段状に対称的に設けた数種の柱幅墨付け用縦片部１３Ａ，１３Ａ；１３Ｂ，１３Ｂと柱幅墨付け用横片部１４Ａ，１４Ａ；１４Ｂ，１４Ｂとのうち、内方に対称的に配置された小幅の柱幅墨付け用縦片部１３Ａ，１３Ａに沿って小径な柱幅Ｗ１、すなわち４寸角の柱Ｐ１の外側に蟻溝Ｅの墨付け個所を中央にしてその両側に４寸角の柱Ｐ１にあつた１寸３分の小さな柱幅Ｗ１の縦方向の線の墨付けが迅速かつ確実に行える。次いで、この小幅の柱幅墨付け用縦片部１３Ａ，１３Ａに段状に横方向に連設され、蟻溝用湾入部１０を中央にして幅方向の両側に対称的に配置された柱幅墨付け用横片部１４Ａ，１４Ａにより前述のように４寸角の柱Ｐ１の外側に引かれた縦方向の２個所の墨付けに対して４寸角の柱Ｐ１にあつた横方向の直線を直角に墨付けして前述のように蟻溝用湾入部１０により行われた墨付けと結ぶことができる。
【００２３】
また、大径な柱幅Ｗ２、すなわち４寸５分角の一方の柱Ｐ２の外側に、蟻溝Ｅを中央にしてその左右両側に有底状のほぞ穴Ｅ′を形成するための墨付けを行う場合にも前述の取扱い操作と同様に、先ず墨付き定規部１２の蟻溝用湾入部１０により蟻溝Ｅについての墨付けを行う。次いでこの蟻溝Ｅの墨付け個所を中央にしてその両側に４寸５分角の柱Ｐ２に合った１寸５分の大きな柱幅Ｗ２の縦方向の墨付けを大幅の柱幅墨付け用縦片部１３Ｂ，１３Ｂにより墨付けをする。その後、この大幅の柱幅墨付け用縦片部１３Ｂ，１３Ｂに対して図１に示すように段状に横方向に連設された柱幅墨付け用横片部１４Ｂ，１４Ｂにより前述の如く縦方向に引かれた墨付けに対して４寸角５分の柱Ｐ２にあつた横方向の直線を直角に墨付ける。
さらに、この横方向の墨付け個所相互を横方向の直線で結べば、ほぞ組を行うべき一方の柱Ｐ２の外側に蟻溝Ｅの墨付けを中央に配してその左右にほぞ組を行うべき柱幅Ｗ２のほぞ穴Ｅ′の墨み付けを行うことができる。
【００２４】
また、墨付き定規部１２の前方部１２ａおよび後方部１２ｂには、連結片３，３′に対する枢着点４′，４′から第２のほぞ穴規線部１５，１５′を突出して設けているので、この第２のほぞ穴規線部１５，１５′の外形に倣って小径な柱Ｐ１、または大径の柱Ｐ２の外側に軸長方向Ｘに沿ってほぞ穴を墨付けすることができる。
【００２５】
この時、第２のほぞ穴規線部１５，１５′には、所望長さｌ，ｌ′位地に目盛部１９，１９；１９′，１９′を表示しているので、この目盛部１９，１９；１９′，１９′を目安として柱Ｐ１、または柱Ｐ２に所望長さにほぞ穴の墨付けを容易かつ確実に行うことができる。しかも、墨付き定規部１２の中央２等分線Ｍ上の枢着点４′，４′にて枢着される連結片３，３には凹部１８，１８が形成されているので、連結片３，３が傾倒された時に目盛部１９，１９；１９′，１９′は凹部１８，１８により邪魔されて見えなくるのを回避されるため、墨付けを容易かつ確実に行うことができる。
【００２６】
さらに、本実施形態の大工用墨付け定規では、上記使用法のほか、図４に示すように、墨付き定規部１２に形成されるかま蟻形の規片部７の外形に倣ってかま蟻形のほぞ溝Ｆを大小異径の一方の柱Ｐ１または柱Ｐ２の木口に墨付けを行う。また、ほぞ組を行うべき他方の柱Ｐ１または柱Ｐ２の木口には、かま蟻形のほぞ溝Ｆに嵌合されるかま蟻形のほぞＪ′を墨付けして図５に示すようにほぞ組を行うこともできる。
【００２７】
上記説明では、墨付き定規部１２の両側に設けた蟻溝用湾入部１０とこの蟻溝用湾入部１０の幅方向Ｙの両側に段状に設けた数種の柱幅墨付け用縦片部１３Ａ，１３Ｂと柱幅墨付け用横片部１４Ａ，１４Ｂとの何れか一側に設けたものを用いて大小異径の柱Ｐ１または柱Ｐ２の外側に蟻溝Ｅと、その蟻溝Ｅの両側にほぞ穴Ｅ′を墨付けする場合を代表的に説明しているが、これは例示であり、墨付き定規部１２の一側のみに蟻溝用湾入部１０と柱幅墨付け用縦片部１３Ａ，１３Ａ；１３Ｂ，１３Ｂと柱幅墨付け用横片部１４Ａ，１４Ａ；１４Ｂ，１４Ｂとを用いて柱Ｐ１，Ｐ２の一側に柱幅Ｗ１，Ｗ２の墨付けをすることも本考案の適用範囲である。
【００２８】
また、図示する実施形態では、大小異径の柱幅Ｗ１，Ｗ２を有する柱Ｐ１，Ｐ２・・・が、例えば４寸と４寸５分との場合に、それぞれ墨付き定規部１２の蟻溝用湾入部１０にて蟻溝Ｅを墨付けするとともに柱幅墨付け用縦片部１３Ａ，１３Ａ；１３Ｂ，１３Ｂと柱幅墨付け用横片部１４Ａ，１４Ａ；１４Ｂ，１４Ｂとによりほぞ穴Ｅ′を墨付けする場合を代表的に説明しているが、大小異径の柱幅Ｗ１，Ｗ２を有する柱Ｐ１，Ｐ２・・・が、例えば４寸５分角と、５寸角の場合も同様に蟻溝Ｅと、ほぞ穴Ｅ′とを墨付けするができ、本考案の適用範囲である。
【００２９】
【考案の効果】
本考案の請求項１に記載の考案は以上のように、平行な挟持内面を有する１対の基準杆の前後に１対の連結片の両端を枢着することにより平行移動可能に設けられた四節の保持枠体と、前記連結片の前記枢着点の中央２等分線位置に長手方向の両側部が夫々枢着されると共に、蟻形の規片部、かま蟻形の規片部、ほぞ穴規線部、ぬき穴規線部が形成されると共に前記中央２等分線に交叉して蟻溝用湾入部とを備えた大工用墨付け定規において、
前記墨付き定規部の蟻溝用湾入部の幅方向の両側に大小異径の複数種の柱幅に対応して墨付けをする数種の柱幅墨付け用縦片部と柱幅墨付け用横片部とを段状に前記蟻溝用湾入部に対して対称的に連設したことを特徴とするので、取扱い操作が容易であり、柱幅の墨付け作業がワンタッチにて簡単に作業効率良く確実に行えるとともに複数の径の角材の柱に対応した墨付けが行え、便利になり、また部品点数が少なく構造が簡単になって製作および組立が容易に行え、製作コストも安価になる。
【００３０】
また、本考案の請求項２に記載の考案は、請求項１において前記墨付き定規部の前端部および後端部は、前記連結片に対する枢着点から第２のほぞ穴規線部が突出して設けられたことを特徴とするので、柱にほぞ穴を形成するための墨付けを容易かつ確実に行うことができる。
【００３１】
また、本考案の請求項３に記載の考案は、請求項１または請求項２において前記基準杆の内側面には、柱を挟持した時に、柱の外側面に対し軸長方向には摩擦係数が軽減可能であり、且つ柱の幅方向には係止力が働く面状の摩擦軽減部品が添設されたことを特徴とするので、柱を挟持した時に、柱の外側面に対し基準杆は多数の係止刃により軸長方向には摩擦係数が軽減されて柱の墨付けを行うべき所望の外側面に容易かつ確実に移動することができる。また、幅方向には係止刃の係止力が柱に対して働くことにより不用意なずれ動きやがたつきを防止して墨付け作業を迅速かつ確実に高精度に行うことができる。
【００３２】
また、本考案の請求項４に記載の考案は、請求項３において前記連結片には、該連結片が中央２等分線上の枢着点を中心に傾倒された時に第２のほぞ穴規線部の所望長さ位地に表示した目盛部を回避可能な凹部が形成されたことを特徴とするので、連結片が傾倒された時に邪魔されることなく凹部により目盛部が見えなくるのを回避されるため、所望長さの墨付けを容易かつ確実に行うことができる。
【図面の簡単な説明】
【図１】図１は本考案は大工用墨付け定規の一実施形態を示す拡大平面図である。
【図２】図２は本実施形態の大工用墨付け定規を用いて一方の柱の側面に墨付けされることにより形成される蟻溝形のほぞ穴と、ほぞ組が行われるように他方の柱の木口に墨付けし、形成された蟻形のほぞとを示す斜視図である。
【図３】図３は同じくほぞ組が行われた状態の平面図である。
【図４】図４は一方の柱の木口に墨付けされることにより形成されるかま蟻溝形のほぞ穴と、ほぞ組が行われるように他方の柱の木口に墨付けし、形成されたかま蟻形のほぞを示す斜視図である。
【図５】図５は同じくほぞ組が行われた状態の平面図である。
【図６】図６は本実施形態の摩擦軽減部品を示す拡大斜視図である。
【符号の説明】
１　　　保持枠体
２　　　基準杆
２′　　基準杆
３　　　連結片
３′　　連結片
４　　　枢着点
４′　　枢着点
５ａ　　両側部
５ｂ　　両側部
６　　　蟻形の規片部
７　　　かま蟻形の規片部
８　　　第１のほぞ穴規線部
９　　　ぬき穴規線部
１０　　蟻溝用湾入部
１１　　幅広部
１２　　墨付き定規部
１２ａ　前方部
１２ｂ　後方部
１３Ａ　柱幅墨付け用縦片部
１３Ｂ　柱幅墨付け用縦片部
１４Ａ　柱幅墨付け用横片部
１４Ｂ　柱幅墨付け用横片部
１５　　第２のほぞ穴規線部
１５′　第２のほぞ穴規線部
１６　　摩擦軽減部品
Ｍ　　　中央２等分線
Ｐ１　　柱
Ｐ２　　柱
Ｗ１　　柱幅
Ｗ２　　柱幅
【図１】
0003099405.tif 000003
【図２】
0003099405.tif 000004
【図３】
0003099405.tif 000005
【図４】
0003099405.tif 000006
【図５】
0003099405.tif 000007
【図６】
0003099405.tif 000008